【事件の表示】
　特願２０１１−５１６３６６「ヘッドセットコードホルダ」拒絶査定不服審判事件〔平成２１年１２月３０日国際公開、ＷＯ２００９／１５８０７５、平成２３年１０月　６日国内公表、特表２０１１−５２６４５６〕について、次のとおり審決する。
【結　論】
　本件審判の請求は、成り立たない。
【理　由】
第１　手続の経緯
　
　本願は、平成２１年５月１２日（パリ条約による優先権主張　平成２０年６月２７日　米国（ＵＳ））の出願であって、平成２５年６月１１日付け拒絶理由通知に対して同年９月３日付けで手続補正がなされ、平成２６年３月３１日付けで拒絶査定がなされ、これに対し、同年８月８日付けで拒絶査定不服審判が請求されるとともに手続補正がなされたものである。
　
　
第２　平成２６年８月８日付けの手続補正についての補正却下の決定
［補正却下の決定の結論］
　平成２６年８月８日付けの手続補正を却下する。
［理由］
１．補正後の本願発明
　平成２６年８月８日付けの手続補正（以下「本件補正」という。）は、特許請求の範囲の請求項１、２７、３６、４４を補正するものであって、
「【請求項１】
　バッグと衣類の洋品とからなる物品のグループのうちの少なくとも１つの物品に取り付けられる本体と、
　上記本体に一体成形で設けられ、ヘッドセットコードを直接的に受け止めて、解放可能に固定する第１の溝とを備え、
　上記本体は、上記少なくとも１つの物品の第１の部分を、該少なくとも１つの物品の第２の部分に開閉自在に閉じる開閉機構の一部、上記少なくとも１つの物品に沿って移動できるスライド可能な洋品の一部、その機能的構造とは無関係な美的特徴を有する装飾的なアクセサリの一部のいずれかであることを特徴とするヘッドセットコードホルダ。
　【請求項２７】
　バッグと衣服の洋品とからなる物品のグループのうちの少なくとも１つの物品に取り付けられる本体と、
　上記本体に一体成形で設けられ、ヘッドセットコードを直接的に受け止めて、解放可能に固定する第１の溝とを備え、
　上記本体は、上記少なくとも１つの物品の第１の部分を、該少なくとも１つの物品の第２の部分に開閉自在に閉じる開閉機構の一部であることを特徴とするヘッドセットコードホルダ。
　【請求項３６】
　バッグと衣服の洋品とからなる物品のグループのうちの少なくとも１つの物品に取り付けられる本体と、
　上記本体に一体成形で設けられ、ヘッドセットコードを直接的に受け止めて、解放可能に固定する第１の溝とを備え、
　上記本体は、上記少なくとも１つの物品に沿って移動できるスライド可能な洋品であることを特徴とするヘッドセットコードホルダ。
　【請求項４４】
　バッグと衣服の洋品とからなる物品のグループのうちの少なくとも１つの物品に取り付けられる本体と、
　上記本体に一体成形で設けられ、ヘッドセットコードを直接的に受け止めて、解放可能に固定する第１の溝とを備え、
　上記本体は、その機能的構造とは無関係な美的特徴を有する装飾的なアクセサリの一部であることを特徴とするヘッドセットコードホルダ。」
とあったところを、
「【請求項１】
　バッグと衣類の洋品とからなる物品のグループのうちの少なくとも１つの物品に取り付けられ
、外面を有する
　上記本体
の外面内
　上記本体は、上記少なくとも１つの物品の第１の部分を、該少なくとも１つの物品の第２の部分に開閉自在に閉じる開閉機構の一部、上記少なくとも１つの物品に沿って移動できるスライド可能な洋品の一部、その機能的構造とは無関係な美的特徴を有する装飾的なアクセサリの一部のいずれかであ
り、
　上記第１の溝は、第１の溝壁と第２の溝壁と差込口空間とを有し、上記ヘッドセットコードが上記第１の溝の中に固定されるときに、上記ヘッドセットコードの少なくとも一部が上記本体内又は上記外面下に保持されるように、上記第１の溝壁と上記第２の溝壁は、共に、上記本体の外面下に延びて、上記第１の溝を形成する
　【請求項２７】
　バッグと衣服の洋品とからなる物品のグループのうちの少なくとも１つの物品に取り付けられ
、外面を有する
　上記本体
の外面内
　上記本体は、上記少なくとも１つの物品の第１の部分を、該少なくとも１つの物品の第２の部分に開閉自在に閉じる開閉機構の一部であ
り、
　上記第１の溝は、第１の溝壁と第２の溝壁と差込口空間とを有し、上記ヘッドセットコードが上記第１の溝の中に固定されるときに、上記ヘッドセットコードの少なくとも一部が上記本体内又は上記外面下に保持されるように、上記第１の溝壁と上記第２の溝壁は、共に、上記本体の外面下に延びて、上記第１の溝を形成する
　【請求項３６】
　バッグと衣服の洋品とからなる物品のグループのうちの少なくとも１つの物品に取り付けられ
、外面を有する
　上記本体
の外面内
　上記本体は、上記少なくとも１つの物品に沿って移動できるスライド可能な洋品であ
り、
　上記第１の溝は、第１の溝壁と第２の溝壁と差込口空間とを有し、上記ヘッドセットコードが上記第１の溝の中に固定されるときに、上記ヘッドセットコードの少なくとも一部が上記本体内又は上記外面下に保持されるように、上記第１の溝壁と上記第２の溝壁は、共に、上記本体の外面下に延びて、上記第１の溝を形成する
　【請求項４４】
　バッグと衣服の洋品とからなる物品のグループのうちの少なくとも１つの物品に取り付けられ
、外面を有する
　上記本体
の外面内
　上記本体は、その機能的構造とは無関係な美的特徴を有する装飾的なアクセサリの一部であ
り、
　上記第１の溝は、第１の溝壁と第２の溝壁と差込口空間とを有し、上記ヘッドセットコードが上記第１の溝の中に固定されるときに、上記ヘッドセットコードの少なくとも一部が上記本体内又は上記外面下に保持されるように、上記第１の溝壁と上記第２の溝壁は、共に、上記本体の外面下に延びて、上記第１の溝を形成する
とするものである。
２．新規事項の有無、補正の目的要件について
　
　本件補正は、願書に最初に添付した明細書又は図面に記載した事項の範囲内において、「ヘッドセットコードホルダ」の本体が「外面」を有することを限定し、「第１の溝」が本体の「外面内」に一体成形されていることを限定し、更に、「第１の溝」が「第１の溝壁と第２の溝壁と差込口空間とを有し、ヘッドセットコードが上記第１の溝の中に固定されるときに、上記ヘッドセットコードの少なくとも一部が本体内又は外面下に保持されるように、上記第１の溝壁と上記第２の溝壁は、共に、上記本体の外面下に延びて」いることを限定したものである。
　よって、本件補正は、特許法第１７条の２第３項、第４項の規定に該当するとともに、補正前の請求項１、２７、３６、４４に記載された発明を特定するために必要な事項を限定するものであるから、特許法第１７条の２第５項第２号に掲げる特許請求の範囲の減縮を目的とするものに該当する。 
　
　
３．独立特許要件について 
　本件補正における特許請求の範囲に記載されている事項により特定される請求項１に係る発明（以下「本願補正発明」という。）が特許出願の際独立して特許を受けることができるものであるか（特許法第１７条の２第６項において準用する同法第１２６条第７項に規定する要件を満たすか）について以下に検討する。
（１）補正後の発明 
　補正後の発明は、上記「１．補正後の本願発明」の項で認定したとおりであるところ、請求項１に係る発明（以下、「本願補正発明」という。）は次のとおりである。
　
「【請求項１】
　バッグと衣類の洋品とからなる物品のグループのうちの少なくとも１つの物品に取り付けられ、外面を有する本体と、
　上記本体の外面内に一体成形で設けられ、ヘッドセットコードを直接的に受け止めて、解放可能に固定する第１の溝とを備え、
　上記本体は、上記少なくとも１つの物品の第１の部分を、該少なくとも１つの物品の第２の部分に開閉自在に閉じる開閉機構の一部、上記少なくとも１つの物品に沿って移動できるスライド可能な洋品の一部、その機能的構造とは無関係な美的特徴を有する装飾的なアクセサリの一部のいずれかであり、
　上記第１の溝は、第１の溝壁と第２の溝壁と差込口空間とを有し、上記ヘッドセットコードが上記第１の溝の中に固定されるときに、上記ヘッドセットコードの少なくとも一部が上記本体内又は上記外面下に保持されるように、上記第１の溝壁と上記第２の溝壁は、共に、上記本体の外面下に延びて、上記第１の溝を形成することを特徴とするヘッドセットコードホルダ。」
　
（２）引用例 
　原査定の拒絶の理由に引用された特開２００８−５５０５０号公報には、「スライダーの引手」について、図面とともに以下の事項が記載されている。（なお、下線は当審で付与した。）
ア．「【０００１】
　
本発明は、スライドファスナー用スライダーにおける引手であって、ヘッドホンのコード等の紐状物を簡単に体裁良く保持することが可能なスライダーの引手に関する。
 【背景技術】
 【０００２】
  現在、ポータブル型のオーディオプレーヤーや携帯電話等が広く普及しており、オーディオプレーヤーや携帯電話の本体に保存した音楽等のサウンドを、電車等により移動する
際に聞いている人が多く見られる。この場合、プレーヤーや携帯電話の本体を、衣服のポケットや携帯しているバッグ等に保持し、その本体に接続したイヤホンやヘッドホンを介して保存したサウンドを聴くことが一般的である。このため、通常は、バッグ等にプレーヤー等の本体を保持している場合でも、イヤホン等が容易に使用できるようにそのコードが長く形成されている。
 【０００３】
  また、上記のような電車等による移動中や歩行中にイヤホンやヘッドホンを身体に装着しているときには、長いコードが衣服の前立てや衣服の表面で垂れ下がったり、ぶらついたりしていることが多い。しかしながら、このような状態のコードは、煩わしく感じるものの、邪魔にならないように処理することが難しい。更に、コードが周辺の様々な部材に引っ掛かり易く、ユーザーの頭部が不意に引っ張られ、また、プレーヤー等の本体がバッグから落ちて壊れ易くなる等の不具合があった。
 【０００４】
  ところで、
衣服や鞄等の開口部にはスライドファスナーが取り付けられている
イ．「【００３９】
  更に、本発明の実施例３に係る引手について説明する。ここで、
図７は、本実施例３に係る引手を示した斜視図である。
  
本実施例３の引手６２は、
引手本体６４と一体に形成されたコード保持部６９とを備えている。
引手本体６４及びコード保持部６９は、
射出成形することにより形成されている。
 【００４０】
  
前記引手本体６４と前記コード保持部６９は、両部材が一体となってスライダーの操作時に持ち手となる摘み部を形成
引手本体６４とコード保持部６９との間には、断面が矩形状の保持空間７０と、摘み部の外周面から保持空間７０に向けて貫通する導入開口７１とが、引手の長手方向に沿うように形成されている。
 【００４１】
  また本実施例３において、前記
保持空間７０は、
イヤホン等に一般的に用いられているコード３５の外径の大きさと同等、若しくは、その外径よりも若干大きく形成
導入開口７１の最小開口幅（即ち、保持空間７０側における導入開口７１の開口幅）が、コード３５の外径よりも小さく形成
 【００４２】
  このような本実施例３の引手６２によってイヤホン等のコード３５の一部を保持する場合には、
コード３５を導入開口７１から保持空間７０に向けて押し込むことにより、導入開口７１の開口幅が拡大してコード３５を保持空間７０に容易に導入して、コード３５を引手６２から浮き上がった状態にさせることなく、保持空間７０で安定して保持することができる。
・引用例は、上記アによれば、ヘッドホンのコードを保持することが可能なスライドファスナー用スライダーにおける引手６２である。また、該スライドファスナー用スライダーは、衣服や鞄等に取り付けられるものである。
　
・上記イ、図７によれば、引手６２は、引手本体６４にコード保持部６９を一体成形して摘み部を形成したものである。この結果、摘み部の外周面から保持空間７０に向けて貫通する導入開口７１が形成されるので、保持空間７０及び導入開口７１は摘み部の外周面内に一体成形で設けられたものといえる。
　したがって、特に図７に示される実施例３に係るものに着目し、上記摘示事項及び図面を総合勘案すると、引用例には、次の発明（以下、「引用発明１」という。）が記載されているものと認める。
「衣服や鞄等に取り付けられたスライドファスナー用スライダーの引手６２に形成された摘み部と、
　上記摘み部の外周面内に一体成形で設けられ、コード３５を保持する保持空間７０及び導入開口７１とを備え、
　上記保持空間７０及び導入開口７１は、上記コード３５が上記保持空間７０に保持されるように、摘み部の外周面内に導入開口７１を形成したスライドファスナー用スライダーの引手６２。」
（３）対比・判断
　そこで、本願補正発明と引用発明１とを対比する。
　
ａ．引用発明１の「スライドファスナー用スライダーの引手６２」は、摘み部（引手本体６４とコード保持部６９）、及びヘッドホン（イヤホン等）のコード３５を保持するための導入開口７１と保持空間７０を備えたものであるから、本願補正発明の「ヘッドセットコードホルダ」に相当する。また、引用発明１の「摘み部」は、本願補正発明の「本体」に相当する。
　
ｂ．引用発明１の「衣服や鞄等に取り付けられたスライドファスナー用スライダーの摘み部」は、衣類やバッグに取り付けられるものであり、摘み部（引手本体６４とコード保持部６９とから形成。）は導入開口が形成された外周面を有しているから、本願補正発明の「バッグと衣類の洋品とからなる物品のグループのうちの少なくとも１つの物品に取り付けられ、外面を有する本体」に相当する。また、引用発明１の「スライドファスナー用スライダーの摘み部」は、ファスナーの機能からして、本願補正発明の「本体は、少なくとも１つの物品の第１の部分を、該少なくとも１つの物品の第２の部分に開閉自在に閉じる開閉機構の一部・・・であり」に相当する。
　
ｃ．引用発明１の「保持空間７０及び導入開口７１」は、一体成形されたコード保持部６９と引手本体６４との間に引手６２の長手方向に沿って設けられたものになっているから（引用例の図７を参照。）、その形状からして摘み部の外周面に一体成形で設けられた溝であるといえる。また、コード３５は導入開口７１から押し込まれ、保持空間７１は保持されるコード３５の外径よりも若干大きく形成されているので開放可能に固定するものといえる。よって、引用発明１の「摘み部の外周面内に一体成形で設けられ、コード３５を保持する保持空間７０及び導入開口７１」は、本願補正発明の「本体の外面内に一体成形で設けられ、ヘッドセットコードを直接的に受け止めて、解放可能に固定する第１の溝」に相当する。
　
ｄ．上記ｃのとおり、引用発明１の「保持空間７０及び導入開口７１」は、摘み部の外周面から内側に向かって形成されて「溝」であるから、引用例の図７を参照すると、摘み部の内／外周面下にある「導入開口７１から保持空間７０に至る部分のコード保持部６９側」と「導入開口７１から保持空間７０に至る部分の引手本体６４側」とが本願補正発明の「第１の溝壁、第２の溝壁」に相当する。また、引用発明１の「導入開口７１」は本願補正発明の「差込口空間」に相当する。よって、引用発明１の「保持空間７０及び導入開口７１」は、本願補正発明の「第１の溝壁と第２の溝壁と差込口空間とを有し、上記ヘッドセットコードが上記第１の溝の中に固定されるときに、上記ヘッドセットコードの少なくとも一部が上記本体内又は上記外面下に保持されるように、上記第１の溝壁と上記第２の溝壁は、共に、上記本体の外面下に延びて形成される上記第１の溝」に相当する。
　よって、本願補正発明と引用発明１とは、次の点で一致し、相違点は認められない。
「バッグと衣類の洋品とからなる物品のグループのうちの少なくとも１つの物品に取り付けられ、外面を有する本体と、
　上記本体の外面内に一体成形で設けられ、ヘッドセットコードを直接的に受け止めて、解放可能に固定する第１の溝とを備え、
　上記本体は、上記少なくとも１つの物品の第１の部分を、該少なくとも１つの物品の第２の部分に開閉自在に閉じる開閉機構の一部であり、
　上記第１の溝は、第１の溝壁と第２の溝壁と差込口空間とを有し、上記ヘッドセットコードが上記第１の溝の中に固定されるときに、上記ヘッドセットコードの少なくとも一部が上記本体内又は上記外面下に保持されるように、上記第１の溝壁と上記第２の溝壁は、共に、上記本体の外面下に延びて、上記第１の溝を形成することを特徴とするヘッドセットコードホルダ。」
（４）むすび
　以上のとおり、本願補正発明は、引用例に記載された発明であるから、特許法第２９条第１項第３号の規定により、特許出願の際独立して特許を受けることができないものである。
　したがって、本件補正は、特許法第１７条の２第６項において準用する同法第１２６条第７項の規定に違反するものであるから、同法第１５９条第１項で読み替えて準用する同法第５３条第１項の規定により却下すべきものである。
　
　
第３　本願発明
　
１．本願発明の認定
　平成２６年８月８日付けの手続補正は上記のとおり却下されたので、本願の請求項１乃至４９に係る発明は、平成２５年９月３日付けの手続補正により補正された特許請求の範囲の請求項１乃至４９に記載された事項により特定されたものであるところ、請求項１に係る発明（以下「本願発明」という。）は、次のとおりのものである。
「【請求項１】
　バッグと衣類の洋品とからなる物品のグループのうちの少なくとも１つの物品に取り付けられる本体と、
　上記本体に一体成形で設けられ、ヘッドセットコードを直接的に受け止めて、解放可能に固定する第１の溝とを備え、
　上記本体は、上記少なくとも１つの物品の第１の部分を、該少なくとも１つの物品の第２の部分に開閉自在に閉じる開閉機構の一部、上記少なくとも１つの物品に沿って移動できるスライド可能な洋品の一部、その機能的構造とは無関係な美的特徴を有する装飾的なアクセサリの一部のいずれかであることを特徴とするヘッドセットコードホルダ。」
２．引用例
　原査定の拒絶の理由に引用された特開２００８−５５０５０号公報には、「スライダーの引手」について、図面とともに以下の事項が記載されている。（なお、下線は当審で付与した。）
ア．「【０００１】
　
本発明は、スライドファスナー用スライダーにおける引手であって、ヘッドホンのコード等の紐状物を簡単に体裁良く保持することが可能なスライダーの引手に関する。
 【背景技術】
 【０００２】
  現在、ポータブル型のオーディオプレーヤーや携帯電話等が広く普及しており、オーディオプレーヤーや携帯電話の本体に保存した音楽等のサウンドを、電車等により移動する
際に聞いている人が多く見られる。この場合、プレーヤーや携帯電話の本体を、衣服のポケットや携帯しているバッグ等に保持し、その本体に接続したイヤホンやヘッドホンを介して保存したサウンドを聴くことが一般的である。このため、通常は、バッグ等にプレーヤー等の本体を保持している場合でも、イヤホン等が容易に使用できるようにそのコードが長く形成されている。
 【０００３】
  また、上記のような電車等による移動中や歩行中にイヤホンやヘッドホンを身体に装着しているときには、長いコードが衣服の前立てや衣服の表面で垂れ下がったり、ぶらついたりしていることが多い。しかしながら、このような状態のコードは、煩わしく感じるものの、邪魔にならないように処理することが難しい。更に、コードが周辺の様々な部材に引っ掛かり易く、ユーザーの頭部が不意に引っ張られ、また、プレーヤー等の本体がバッグから落ちて壊れ易くなる等の不具合があった。
 【０００４】
  ところで、
衣服や鞄等の開口部にはスライドファスナーが取り付けられている
ウ．「【００２１】
  図１は、本発明の実施例１に係る引手を有するスライドファスナー用スライダーを示した斜視図である。また、図２は、同引手を裏面側から見たときの引手の斜視図である。なお、以下の説明において、引手の表面とは、スライダーを停止させて引手をスライダーの後口側に傾倒させたときに（例えば、図３を参照）、正面から見える側の一面を指しており、また、引手の裏面とは、表面とは反対側の一面（正面から見えない側の一面）を指している。
 【００２２】
  
本実施例１の引手２は、
スライダー１の操作時に持ち手となる引手本体４と、引手本体４の側面に配されたコード保持部９とを備えている。
　・・・（中略）・・・
 【００２５】
  また、引手２の前記
引手本体４及びコード保持部９は、
一体成形品で構成されている。
 【００２６】
  
前記コード保持部９は、中心部が円形断面の保持空間１０となる中空の筒状体９ａで構成されており、この保持空間１０は引手２の長手方向に沿うように形成されている。また、コード保持部９には、筒状体９ａの外周面から保持空間１０に向けて貫通するスリットが保持空間１０の長さ方向に沿って形成されており、このスリットがコード３５等の紐状物を保持空間１０に導入する導入開口１１を構成している。
スリット（導入開口１１）
 【００２７】
  本実施例１において、
コード保持部９に設けた保持空間１０の直径（筒状体９ａの内径）は、イヤホン等に一般的に用いられているコード３５における外径の大きさと同等、若しくは、その外径よりも若干大きく形成されており、コード３５を安定して挿通保持できるように構成されている。
・引用例は、上記アによれば、ヘッドホンのコードを保持することが可能なスライドファスナー用スライダーにおける引手２である。また、該スライドファスナーは、衣服や鞄等に取り付けられるものである。
　
・上記ウ、図１乃至図４によれば、コード３５を挿通保持するコード保持部９は、引手本体４の側面に一体成形して設けられたものである。そして、コード保持部９は中空の筒状体９ａで構成されており、該筒状体９ａの外周面から保持空間１０に向けて貫通するスリット（導入開口１１）が形成されているものである。
　したがって、特に図１乃至図４に示される実施例１に係るものに着目し、上記摘示事項及び図面を総合勘案すると、引用例には、次の発明（以下、「引用発明２」という。）が記載されているものと認める。
「衣服や鞄等に取り付けられたスライドファスナー用スライダーの引手２に形成された引手本体４と、
　上記引手本体４の側面に一体成形で設けられ、コード３５を挿通保持するスリット及び保持空間１０を備えた
　スライドファスナー用スライダーの引手２。」
３．対比・判断
　そこで、本願発明と引用発明２とを対比する。
　
ｅ．引用発明２の「スライドファスナー用スライダーの引手２」は、引手本体４、及びコード保持部９を備えたものであるから、本願発明の「ヘッドセットコードホルダ」に相当する。また、引用発明２の「引手本体４」は、本願発明の「本体」に相当する。
　
ｆ．引用発明２の「衣服や鞄等に取り付けられたスライドファスナー用スライダーの引手本体４」は、衣類やバッグに取り付けられるものであるから、本願発明の「バッグと衣類の洋品とからなる物品のグループのうちの少なくとも１つの物品に取り付けられる本体」に相当する。また、引用発明２の「スライドファスナー用スライダーの引手本体４」は、ファスナーの機能からして、本願発明の「本体は、少なくとも１つの物品の第１の部分を、該少なくとも１つの物品の第２の部分に開閉自在に閉じる開閉機構の一部・・・である」に相当する。
　
ｇ．引用発明２の「スリット及び保持空間１０」は、引手本体４に一体成形されたコード保持部９に設けられたものであり、コード３５を挿入保持するものである。また、コード３５はスリット（導入開口１１）から押し込まれ、保持空間１０は保持されるコード３５の外径よりも若干大きく形成されているので開放可能に固定するものといえる。よって、引用発明２の「上記引手本体４の側面に一体成形で設けられ、コード３５を挿通保持するスリット及び保持空間１０」は、本願発明の「本体に一体成形で設けられ、ヘッドセットコードを直接的に受け止めて、解放可能に固定する第１の溝」に相当する。
　
　よって、本願発明と引用発明２とは、次の点で一致し、相違点は認められない。
「バッグと衣類の洋品とからなる物品のグループのうちの少なくとも１つの物品に取り付けられる本体と、
　上記本体に一体成形で設けられ、ヘッドセットコードを直接的に受け止めて、解放可能に固定する第１の溝とを備え、
　上記本体は、上記少なくとも１つの物品の第１の部分を、該少なくとも１つの物品の第２の部分に開閉自在に閉じる開閉機構の一部であることを特徴とするヘッドセットコードホルダ。」
４．むすび
　以上のとおり、本願の請求項１に係る発明は、特許法第２９条第１項第３号の規定により特許を受けることができない。
　したがって、本願は、その余の請求項について言及するまでもなく、本願は拒絶すべきものである。
　
　よって、結論のとおり審決する。